(57)【特許請求の範囲】
【請求項１】
座板又は背板に配置したクッションを表皮材で覆い、前記表皮材の少なくとも一部を、当該表皮材の縁に取り付けた係止部材を介して前記座板又は背板の裏部に係止している構成であって、
前記座板又は背板には前記係止部材を取り付けるための係止穴が空いている一方、前記係止部材は、前記係止穴に挿入されて当該係止穴の一方の内面に当接する嵌合部を有しており、前記嵌合部に、前記係止穴の内面のうち前記一方の内面と対向した他方の内面に向いた鉤部を設けて、前記鉤部を前記座板又は背板に内側から当接させており、かつ、前記係止穴は、奥に行くに従って溝幅が広がるように、前記一方の内面に対して他方の内面の角度を異ならせている、
椅子の座又は背。
【請求項２】
前記係止部材は、前記座板又は背板の外面に重なる基板と、前記鉤部を有するＬ形の嵌合部とを有しており、全体としてクランク状の形態を成している、
請求項１に記載した椅子の座又は背。
【請求項３】
前記嵌合部には、当該嵌合部を前記係止穴に挿脱するに際して弾性変形すると共に挿入し切ると弾性復元力で戻り変形するストッパー部を設けている、
請求項１又は２に記載した椅子の座又は背。
【請求項４】
基板に配置したクッションを表皮材で覆い、前記表皮材の少なくとも一部を、当該表皮材の縁に取り付けた係止部材を介して前記基板に係止している、という構成の身体支持部材を有している椅子であって、
前記基板には前記係止部材を取り付けるための係止穴が空いている一方、前記係止部材は、前記係止穴に挿入されて当該係止穴の一方の内面に当接する嵌合部を有しており、前記嵌合部に、前記係止穴の内面のうち前記一方の内面と対向した他方の内面に向いた鉤部を設けて、前記鉤部を前記基板に内側から当接させており、かつ、前記係止穴は、奥に行くに従って溝幅が広がるように、前記一方の内面に対して他方の内面の角度を異ならせている、
椅子。
【発明の詳細な説明】
【技術分野】
【０００１】
本願発明は、椅子及びこれを構成する座又は背に関するものであり、特に、クッションを覆う表皮材の取り付け手段に特徴を有するものである。
【背景技術】
【０００２】
椅子において、座を座板にクッションが張られた構成にしたり、背を背板にクッションが張られた構成にした場合、クッションは織地や編地等より成る表皮材で覆われており、表皮材の縁を座板又は背板に取り付けている。そして、表皮材を座板又は背板に取り付ける方法として、表皮材の周縁部に帯状の係止部材（縁材）を固定する一方、座板又は背板には外向き開口の取付溝を形成し、係止部材を取付溝に嵌め込む方式がある。
【０００３】
このように係止部材を取付溝に嵌め込む方式では、係止部材の挿脱方向と、表皮材にテンションが掛かったときの引っ張り方向とが交叉していることにより、係止部材は取付溝に嵌まった状態に保持されている。しかし、単に係止部材を取付溝に挿入しただけの構成では、係止部材が取付溝から抜けることを確実に防止できるとは言えない場合がある。
【０００４】
そこで特許文献１では、樹脂製のバックボード（背板）に取付溝を設けてこれにフック（係止部材）を挿入する構成において、取付溝の内面のうち開口縁寄り部位及びフックに、互いに噛み合ってフックの抜けを防止する一対の爪を設けることが開示されている。取付溝は、バックボードに断面Ｕ形の突条を内向き突設することが形成されている。
【先行技術文献】
【特許文献】
【０００５】
【特許文献１】特開２００６−１８３２３６号公報
【発明の概要】
【発明が解決しようとする課題】
【０００６】
特許文献１では、表皮材にテンションが掛かるとフックは爪を中心にして回動する傾向を呈するが、爪と反対側の端部が取付溝の内面に当接しているため、フックは取付溝の内部に位置して抜け不能に保持されている。従って、フックの抜けをより的確に防止するためには、取付溝の深さはできるだけ深いのが好ましい。しかし、取付溝の深さを深くすると突条の高さが高くなり、このため樹脂の使用量が増えてコストアップにつながるおそれがある。また、突条及び爪を成形するために金型が複雑化することは否めず、この面においてもコストアップが懸念される。
【０００７】
更に、特許文献１は車両用シートに適用しているが、事務用回転椅子のような非車両用椅子の座や背に適用すると、これらの椅子の座や背のクッションは車両用に比べて薄いため、突条の存在がクッションを介して着座者に伝わるおそれがあり、すると、着座者に違和感を与えるおそれもある。
【０００８】
本願発明は、このような現状を改善すべく成されたものである。
【課題を解決するための手段】
【０００９】
請求項１の発明は座又は背に関するものであり、この発明は、座板又は背板に配置したクッションを表皮材で覆い、前記表皮材の少なくとも一部を、当該表皮材の縁に取り付けた係止部材を介して前記座板又は背板の裏部に係止している構成において、
前記座板又は背板には前記係止部材を取り付けるための係止穴が空いている一方、前記係止部材は、前記係止穴に挿入されて当該係止穴の一方の内面に当接する嵌合部を有しており、前記嵌合部に、前記係止穴の内面のうち前記一方の内面と対向した他方の内面に向いた鉤部を設けて、前記鉤部を前記座板又は背板に内側から当接させており、かつ、前記係止穴は、奥に行くに従って溝幅が広がるように、前記一方の内面に対して他方の内面の角度を異ならせている。
【００１０】
請求項２の発明は請求項１を具体化したもので、この発明では、前記係止部材は、前記座板又は背板の外面に重なる基板と、前記鉤部を有するＬ形の嵌合部とを有しており、全体としてクランク状の形態を成している。請求項３の発明は請求項１又は２の発明を具体化したものであり、この発明では、前記嵌合部には、当該嵌合部を前記係止穴に挿脱するに際して弾性変形すると共に挿入し切ると弾性復元力で戻り変形するストッパー部を設けている。
【００１１】
本願発明は椅子も含んでいる。すなわちこの椅子は請求項１〜３の上位概念である身体支持部材を有しており、この身体支持部材は、前記基板には前記係止部材を取り付けるための係止穴が空いている一方、前記係止部材は、前記係止穴に挿入されて当該係止穴の一方の内面に当接する嵌合部を有しており、前記嵌合部に、前記係止穴の内面のうち前記一方の内面と対向した他方の内面に向いた鉤部を設けて、前記鉤部を前記基板に内側から当接させており、かつ、前記係止穴は、奥に行くに従って溝幅が広がるように、前記一方の内面に対して他方の内面の角度を異ならせている。
ここにいう身体支持部材には、座や背の他に、肘当てやヘッドレスト、ショルダーレストなどクッションと表皮材とを有する部材が広く含まれる。
【発明の効果】
【００１２】
請求項１の発明では、表皮材にテンションが掛かって係止部材が座板又は背板の外側に引っ張られようとすると、係止部材の鉤部が係止孔の他方の内面に当接して、係止部材は係止穴から抜け不能に保持される。
【００１３】
そして、本願発明は座板又は背板に特許文献１のような突条を設ける必要はなく、座板又は背板は従来と同様の厚さのままで係止穴を設ければ足りるのであり、このため、座板又は背板が樹脂製の場合に、樹脂の使用量が増えたり金型が複雑化したりすることを防止でき、延いてはコストアップを回避できる。また、特許文献１のような突条を設ける必要がないため、着座者の身体に違和感を与えることはない。また、係止穴は奥に行くほど溝幅が広がっているため、嵌合部の嵌め込みが誘い込まれる。
請求項４の発明も請求項１の発明に準じた効果が発揮される。
【００１４】
請求項２のように係止部材をクランク状の形態にすると、基板が座板又は背板の裏面に密着した状態で鉤部が座板又は背板に内側から当接するため、係止部材をずれ不能の状態により確実に保持できる。また、請求項３のように弾性変形するストッパー部を設けると抜け止め機能がより一層向上するのみならず、嵌合部を係止穴に挿入するに当たっては、嵌合部を係合穴に挿入し切るとカチッというクリック感を人に与えることができるため、係止部材を所定の状態に取り付けたことを人が感覚（触覚や聴覚）で把握できる利点がある。
【図面の簡単な説明】
【００１５】
【図１】椅子の外観図であり、（Ａ）は前方から見た斜視図、（Ｂ）は後ろから見た斜視図、（Ｃ）は側面図である。
【図２】座板及びその支持部の分離斜視図である。
【図３】座板と座受け体との分離斜視図である。
【図４】座板と座クッションとの分離斜視図である。
【図５】座板の破断斜視図である。
【図６】（Ａ）は表皮材取り付け用フロント縁部材を分離した座の概略底面図、（Ｂ）はフロント縁部材の部分斜視図、（Ｂ）は表皮材フロント縁部材の側面図である。
【図７】（Ａ）は図６（Ａ）の VIIA-VIIA視断面図、（Ａ）は図６（Ａ）の VIIB-VIIB視分断面図、（Ｃ）は（Ｂ）の部分拡大図である。
【図８】（Ａ）は図６（Ａ）の VIII-VIII視部分断面図、（Ｂ）は表皮材の部分的な斜視図である。
【発明を実施するための形態】
【００１６】
次に、本願発明の実施形態を図面に基づいて説明する。本実施形態は事務用に多用されている回転式ロッキング椅子に適用している。本願では、方向を特定するため「前後」「左右」といった文言を使用するが、これは、普通の姿勢で着座した人の向きを基準にしている。正面視は、着座した人と対向した方向から見たものである。
【００１７】
(1).椅子の概要
まず、主として図１及び図２を参照して椅子の概要を説明する。図１に示すように、椅子は、大きな要素として脚１と座２と背もたれ３とを備えている。脚１は放射方向に延びる枝足を有しているが図示は省略しており、ガスシリンダよりなる脚支柱４のみを表示している。脚支柱４の上端にはベース５が固定されており、ベース５の上方に座２が配置されている。
【００１８】
図２に示すように、座２は、樹脂製の座板（座インナーシェル）６とその上面に張った座クッション７とを有しており、図２，３に示す座受け体８に、前後位置調節可能に取付けられている。座受け体８は樹脂製であり、その前部はフロントリンク９を介してベース５の前部に連結されており、フロントリンク９は、側面視でベース５と座受け体８との両方に対して相対回動する。従って、フロントリンク９が回動することにより、座受け体８及び座２は上下動しながら前後動する。なお、座受け体８は、中間支持体又は座アウターシェルと呼ぶことも可能である。
【００１９】
背もたれ３は、着座者の体圧がかかるシェル状の背板（背インナーシェル）１０と、これが取付けられたシェル状のバックサポート（背アウターシェル）１１とを有しており、背板１０の前面に背クッション１２が張られている。背クッション１２は、クロス等の表皮材１３で前から覆われている。
【００２０】
バックサポート１１の下端には、前向きに延びる左右一対のアーム１４が一体に形成されており、左右のアーム１４は、その前端部を中心にして後傾するようにベース５に連結されており、かつ、左右のアーム１４は、金具１５（図１（Ｂ）に僅かに露出している。）を介して座受け体８の後部と連結されている。このため、背もたれ３が後傾すると、座受け体８と座２は、金具１５に引かれて後退しつつ上昇する。ベース５の後部には、ロッキングに対して抵抗を付与する弾性体（図示せず）が内蔵されている。座板６の右側部の下面には、座２を所望の前後位置に保持するためのレバー装置１６（図２参照）を装着している。
【００２１】
(2).座板の構造
次に、座２や座受け体８の構造や互いの関係を説明する。まず、座板６について説明する。例えば図３〜図５から理解できるように、座板６は、着座者の体圧が強くかかる中間部１７と、その前に位置した前側部分１８と、中間部１７の後ろに位置した後部１９と、中間部１７及び前側部分１８の左右外側に位置したサイド部２０とを有している。
【００２２】
中間部１７の左右中間部には前後長手のセンタースリット２１が複数条形成されており、中間部１７の左右側部には、前後長手のサイドスリット２２が複数条形成されている。センタースリット２１の群とサイドスリット２２の群との間には、座板６の縦長中心線に向けて倒れるように緩く傾斜した多数のミドルスリット２３の群が形成されている。ミドルスリット２３は緩く湾曲している。これらスリット２１，２２，２３の群の存在により、中間部１７は着座した人の体圧に比例して下向きに伸び変形する。
【００２３】
例えば図５に示すように、座板６の前側部分１８は、中間部１７から段落ちした状態の前底板２４と、その上面に突設した縦横の前リブ２５とで構成されており、リブ２５の群の上面が中間部１７の上面と同一面状に連続している。従って、前側部分１７には、リブ２５の群で仕切られた多数の角形空間が上向きに開口している。また、前側部分１８の前端は、着座者の大腿部への当たりを柔らかくするため、前向き凸状に緩く湾曲した庇状の前壁２６で構成されている。
【００２４】
例えば図５のとおり、座板６の後部１９は、後ろ底板２７に縦横の後ろリブ２８の群を突設した剛体構造になっており、着座者の体圧が掛かっても基本的には弾性変形しない。そして、中間部１７と後部１９とは、左右方向に延びる上下開口の長溝穴２９で分断されている。従って、中間部１７は、後部１９の制約を受けることなく伸び変形し得ると共に、中間部１７の伸び変形が後部１９に波及することはない。
【００２５】
後ろ底板２７は、前側が低くて後ろ側が高くなるように、水平姿勢の部分が２段階に連続した形態を成している一方、後ろリブ２８は、その前端は中間部１７と同じ高さであり、後ろに行くに従って徐々に高くなるように側面視で湾曲しつつ傾斜している。これは、人の臀部のカーブにフィットさせるための措置である。後部１９の後端は、上向きのリア土手部３０で構成されている。
【００２６】
図５のとおり、サイド部２０は、サイド底板３２と、その側端から上向きに立ち上がった側壁３３とを有しており、サイド底板３２と側壁３３とは、正面視三角形状のサイドリブ３４によっても繋がっている。サイド部２０も、着座者の体圧では弾性変形しない剛体構造になっている。
【００２７】
座クッション７は金型を使用して製造した（発泡させた）成形品であり、図８に示すように、左右側面と上面とが繋がった部分は鋭角を成すシャープな形態になっている。座クッション７の前部には、左右中間部とその左右両側とに位置した３つのフロント突起３５が下向きに突設されており、これらフロント突起３５は、座板６の前部に設けたフロント凹所３６に嵌め込まれている。これにより、座クッション７が正確に位置決めされている。図４に示すように、座板６のフロント凹所３６には、フロント突起３５を支持する補助リブ３７を設けている。また、図５に示すように、サイドリブ２３の外側に、前後長手の上向き開口溝３８を設けている（図８（Ａ）も参照）。この上向き開口溝３８の存在によっても、座板６の中間部１７が伸び変形することが許容されている。
【００２８】
図４及び図７に示すように、座クッション７の後部には、座板６の後部１９を構成するリブ２８の群の上面に当接する左右横長の後部突起３５′が設けられている。後部突起３５′は、座板６の後部１９のうち前側の１／４程度には当たっていない。このため、座板６の中間部１７が沈み変形するにおいて、座クッション７は小さな曲率でスムースに変形する。
【００２９】
また、図７（Ａ）のとおり、座板６の後端縁のうちリア土手部３０の手前側には、リブ２８を低くすることによって、左右に長いリア長溝３６ａが形成されている一方、座クッション７の後端縁には、リア長溝３６ａに嵌合するリア突条３５ａが形成されている。更に、座板６のうちリア長溝３６ａの手前には、左右中間部とその左右外側とにリブ２８を若干高くすることによって補助突起３６ｂが形成されている一方、座クッション７には、補助突起３６ｂに嵌まる補助凹所３５ｂが形成されている。
【００３０】
これら、リア長溝３６ａとリア突条３５ａとの嵌め合わせ、及び、補助突起３６ｂと補助凹所３５ｂとの嵌め合わせにより、座クッション７の後部は座板６にずれ不能に保持されている。このため、着座によって座クッション７の後部がずれ動くような不具合はなく、快適な座り心地を得ることができる。
【００３１】
(3).表皮材の取り付け手段
図７（Ｂ）や図８のとおり、座クッション７は、織地又は編地より成る表皮材３９で上から覆われており、表皮材３９の周縁を、座板６の周縁部に下方から（裏側から）固定している。この点を次に説明する。本実施形態では、表皮材３９のうち左右側縁と後端縁とは図８に示すクリップ４０を使用して座板６に取り付けられていて、表皮材３９の前端縁の取付には本願発明が適用されており、前端縁の取付けには、図６に示す左右横長の係止具４１が使用されている。
【００３２】
図８に示すクリップ４０は、表皮材３９の縁に固定される基板４２を有しており、基板４２に、表皮材３９の側縁に沿って延びる背板４３と、背板４３の両側端に繋がった一対の側板４４とが上向きに突設されている。背板４２と側板４４とは頂部４５に収束しており、頂部４５からキャッチ片４６が下向きに突出している。キャッチ片４６は、その上端のみが頂部４５に繋がっているため、背板４４に近づくように弾性変形する。そして、キャッチ片４６の外面の上下中途部には、当該キャッチ片４６の自由端の側に向いた係合面を有する爪部４６ａが形成されている。背板４３とキャッチ片４６とにより、略山形（テーパ状）を成している。
【００３３】
座板６の左右側縁と後端縁には、クリップ４０の大部分を差し込みできるクリップ受け穴４８が形成されており、クリップ受け穴４８の内側縁に、クリップ４０の爪部４６ａが内側から引っ掛かる。これにより、表皮材３９の縁が座板６に保持される。キャッチ片４６の先端に指先（或いはマイナスドライバ等の工具の先端）を当てて背板４４の側に引くと、キャッチ片４６が倒れ変形して、クリップ受け穴４８との係合が解除される。
【００３４】
また、図８（Ａ）に示すとおり、クリップ受け穴４８のうちキャッチ片４６が重なる部分の開口縁には、座板６の内部側に向いて傾斜した傾斜面４８ａを形成している。このため、指先又は工具をキャッチ片４６の先端に引っ掛けることを容易に行える。
【００３５】
図６に明示するように、クリップ受け穴４８は、座板６の左右側縁と後端縁とにそれぞれ３つずつ形成している。図８（Ｂ）に一点鎖線で示すように、表皮材３９の縁に樹脂板等の縁板４９を固定してもよい。このように縁板４９を使用すると、表皮材３９が保形されるため、飛び飛びに配置されたクリップ４０による取り付けであっても、表皮材３９を弛みや皺がない張った状態に保持できる利点がある。縁板４９は、表皮材３９の表裏のいずれに固定してもよい。なお、座クッション７には、クリップ４０が嵌まる凹所を形成している。
【００３６】
表皮材３９の周縁部に縁板４９を固定する場合、表皮材３９は平坦な布を素材にしているため、表皮材３９を環状の状態で表皮材３９に縫着するのは面倒である（すなわち、ミシン掛けが面倒である。）。この点に関する方策を、図６に部分的に表示している。すなわち、図６において、右上部に平行斜線で部分的に示すのは縁板４９であり、網掛け表示で示すのはゴムのような伸縮性素材からなるテープ４９′であり、コーナー部を挟んだ縁板４９を伸縮性テープ４９′で接続している。
【００３７】
具体的な製法としては、例えば、表皮材３９の四周に縁板４９を縫着してから、コーナー部を挟んで隣り合った縁板４９に、伸縮性テープ４９′を縫着等で固定することが考えられる。或いは、縁板４９を表皮材３９に縫着するにおいて、伸縮性テープ４９′を引き延ばした状態で隣り合った縁板４９に縫着することも可能である。伸縮性テープ４９′を引き延ばして縫着する場合は、伸縮性テープ４９′を表皮材３９に縫着してもよい。
【００３８】
いずれにしても、腰の強い縁板４９はコーナー部を除いた部位に縫着すればよいため、縁板４９の取付け作業は非常に簡単であり、しかも、隣り合った縁板４９は伸縮性テープ４９′で引っ張られているため、表皮材３９はコーナー部において張った状態に保持される。この点、独立した発明たり得る。
【００３９】
次に、図６及び図７（Ｂ）（Ｃ）に基づいて係止具４１を説明する（図７（Ａ）では、係止具４１は省略している。）。係止具４１は樹脂製であり（金属板製でもよい）、表皮材３９が逢着等で固定された基板５１を有していて、基板５１の２つの長手側縁のうち表皮材３９の外側に位置した長手側縁に、座板６の前壁２６に設けた横長の係止穴５２に嵌まる嵌合部５３を一体に設けている。
【００４０】
係止穴５２は左右方向に沿って３つ設けており、従って、嵌合部５３も３つ設けている。嵌合部５３は、基板５１から立ち上がった起立部５３ａと、その先端から基板５１と反対側に突出した鉤部５３ｂとを有しており、側面視Ｌ形になっている。従って、係止具４１は側面視でクランク形の形態になっている。
【００４１】
そして、係止具４１は表皮材３９によって前側に引っ張られているが、嵌合部５３の起立部５３ａが係止穴５２の前内側面（一方の内面）に重なっていることにより、係止具４１は前向きずれ不能に保持されている。かつ、基板５１が前壁２６の下面に重なった状態で、嵌合部５３における鉤部５３ｂの先端が、前壁２６に上から（座クッション７を設けた内側から）当たっていることにより、嵌合部５３は係止穴５２から抜け不能に保持されている。従って、係止具４１は、嵌合部５３を係止穴５３に嵌め込むだけで、座板６に対して脱落不能に保持される。
【００４２】
座板６の前壁２６はその先端が下になるように側面視で傾斜している一方、係止穴５２の後ろ内面（他方の内面）５２ａはほぼ鉛直姿勢になっている。従って、係止穴５２の後ろ内面５２ａは前内面に対して側面視で傾斜しており、その結果、係止穴５２は、奥（上）に行くほど溝幅が広がっている。このため、嵌合部５２の嵌め込みが誘い込まれる。
【００４３】
本実施形態のように、係止穴５２の後ろ内面５２ａを傾斜させた場合は、嵌合部５３の鉤部５３ｂを係止穴５２の後ろ内面５２ａに当接させてもよい。逆に、鉤部５３ａを前壁２６の上面に広い範囲にわたって重ねることも可能である。いずれにしても、座板６の前壁２６には係止穴５２を空けるだけでよく、前壁２６は従来と同様の厚さ足りるため、樹脂の使用量が増えたり着座者が大腿部に違和感を覚えたりすることはない。
【００４４】
各嵌合部５３の左右両端には、起立部５３ａと鉤部５３ｂとが連接した角部の外側に膨出したストッパー部５４を設けている。ストッパー部５４は長穴状のスリット５５によって嵌合部５３と区分されており、このため、膨出部５４は弾性変形し得る。ストッパー部５４は、嵌合部５３における起立部５３ａの付け根と鉤部５３ｂの先端とに繋がっているが、いずれか一方のみに繋がった形態であってもよい。また、ストッパー部５４は、嵌合部５３の左右中間部に設けることも可能であり、かつ、ストッパー部は単なる突起であってもよい。
【００４５】
係止具４１の装着状態において、ストッパー部５４が係止穴５２の前内面の上端に当接するため、嵌合部５３の抜け止め機能を向上できる。また、係止具４１の装着に際しては、膨出部５４が弾性変形してから係止穴５３を抜け切ると、膨出部５４が弾性復元力で瞬間的に戻り変形し、この戻り変形を人はカチッというクリック感として把握できるため、正確に装着されたことを感触によって把握できる。
【００４６】
係止具４１は各係止穴４３に対応して個別に設けることも可能であるが、本実施形態のように座板６の前端縁に沿って一連に延びる１本の係止具４１を使用すると、取り付け作業を迅速に行える利点がある。表皮材３９のうち前縁部以外の他の部位の取り付けに係止具４１を使用することも可能である。
【００４７】
本実施形態では、表皮材３９の取付けは、まず係止具４１を座板６の前端部に取り付けて、次いで、クリップ４０の群を座板６に取り付けるという手順で行われる。各クリップ４０の群は、任意の順序で取付けたらよい。
【００４８】
表皮材３９の四周を係止具４１で座板６に取り付けることも可能であるが、この場合は、四周のうち２つの側縁に位置した係止具４１は、座クッション７を大きく弾性変形させることで表皮材３９を強く引っ張った状態で取付けねばならず、このため取付けが厄介になるおそれがある。これに対して、本実施形態のように、係止具４１とクリップ４０とを併用すると、係止具４１もクリップ４０も表皮材３９に強いテンションを掛けることなく座板６に取付けできるため、表皮材３９の取付け作業（座２の組み立て）を容易に行える。
【００４９】
(4).中間部材及びこれに対する座板の取り付け構造
図２に示すとおり、中間部材８は、底板の上面に多数の補強リブ５６が縦横に形成された構造になっており、前端には、フロントリンク９が嵌まるフック部５７を下向きに突設している。そして、本実施形態では、座２を中間部材８に前後位置調節可能に取り付けている。図７（Ａ）では、座２は最も後退した状態に表示している。
【００５０】
図３や図８（Ａ）に示すように、座板６の下面のうちサイド部２０の内側縁に前後長手の上レール５８を下向きに突設している一方、中間部材８の左右両側部には、上レール５８がスライド自在に載る下レール５９を一体に形成している。この場合、図８（Ａ）に示すように、上レール５８の内側部に、下レール５９の内側に位置したガイドリブ５８ａを下向きに突設しており、このため、座板６は中間部材８に対して左右ずれ不能に保持されている。
【００５１】
座板６は、中間部材８に上向き動不能に保持されておらねばならない。そこで、本実施形態では、中間部材８のうち下レール５９よりも外側の縁部に正面視鉤形のガイド爪６０設ける一方、座板６の左右両側部には、ガイド爪６０が嵌まる抜け止め溝６１を形成している。抜け止め溝６１は底板６１ａを有しており、ガイド爪６０が底板６１ａの上に位置することで、座板６は抜け不能に保持されている。
【００５２】
例えば図６（Ａ）に示すように、抜け止め溝６１における底板６１ａの後端は切欠かれており、切欠きを符号６２で示している。そして、座板６を手前に移動させ切って、ガイド爪６０を切欠き６２の箇所に位置させると、座２を上下動させて中間部材８に対して着脱させることができる。他方、通常の使用状態で座２を簡単に取り外しできるのは好ましくない。そこで、通常の使用状態での座２の前進位置は、例えば図２に示すレバー装置１６によって規制しているが、本願発明と直接の関係はないので説明は省略する。
【００５３】
(5).その他
本願発明は、上記の実施形態の他にも様々に具体化できる。例えば、係止具は必ずしもクランク形状である必要はななく、例えばＬ形に形成することも可能である。すなわち、実施形態の係止具４１から基板５１を無くした嵌合部５３のみの形状として、表皮材３９を嵌合部の起立部５３ａに固定するといったことも可能である。また、係止具は必ずしも板状である必要はないのであり、例えば線材で製造することも可能である。
【００５４】
上記の実施形態は座に適用したが、本願発明は、背や肘当て、ヘッドレストなどにも適用できる。これらに適用する場合も、差し込み式のクリップを併用すると好適である。また、本願の椅子には、ソファーなど各種のものが含まれる。
【産業上の利用可能性】
【００５５】
本願発明は椅子に適用して有用性を発揮する。従って、産業上利用できる。
【符号の説明】
【００５６】
２  座
３  背もたれ
５  ベース
６  座板（座インナーシェル）
７  座クッション
８  座受け体（座アウターシェル）
２６  座板の前壁
４０  クリップ
４１  係止具
５１  基板
５２  係止穴
５２ａ  係止穴の後ろ内面（他方の内面）
５３  嵌合部
５３ａ  起立部
５３ｂ  鉤部
５４  ストッパー部
【図１】
0005685077.tif 000002
【図２】
0005685077.tif 000003
【図３】
0005685077.tif 000004
【図４】
0005685077.tif 000005
【図５】
0005685077.tif 000006
【図６】
0005685077.tif 000007
【図７】
0005685077.tif 000008
【図８】
0005685077.tif 000009